(57)【要約】【課題】膨大な数のパワーコンディショナに対する同期信号の伝達を可能とする分散システムに含まれるパワーコンディショナを提供する。【解決手段】直流電力を電力系統に連系可能な交流電力に変換して出力するパワーコンディショナ２iであり、伝送線１６i-1を介して、同期信号をパワーコンディショナ２i-1と送受信する通信インタフェース２４Ａと、伝送線１６iを介して同期信号をパワーコンディショナ２i+1と送受信する通信インタフェース２４Ｂと、通信インタフェース２４Ａが受信した同期信号を監視する同期信号監視部２３ｄと、同期信号監視部２３ｄが監視している同期信号がなくなると、交流電力の出力を停止させる停止部２３ｃとを備え、通信インタフェース２４Ａが同期信号を受信すると、同期信号監視部２３ｄおよび停止部２３ｃが実行する処理とは無関係に、通信インタフェース２４Ｂが、所定のレベルで同期信号を送信する。【選択図】図３
2014230386.tif 000002
【特許請求の範囲】
【請求項１】
直流電力を電力系統に連系可能な交流電力に変換して出力するパワーコンディショナであって、
第１の伝送線を介して前記交流電力の周波数に対応した周波数からなる同期信号を他の一のパワーコンディショナと送受信する第１の通信インタフェースと、
第２の伝送線を介して前記交流電力の周波数に対応した周波数からなる同期信号をさらに他の一のパワーコンディショナと送受信する第２の通信インタフェースと、
前記第１および第２の通信インタフェースの一方が受信した同期信号を監視する同期信号監視部と、
前記同期信号監視部が監視している同期信号がなくなると、前記交流電力の出力を停止させる停止部とを備え、
前記第１および第２の通信インタフェースの一方が同期信号を受信すると、前記同期信号監視部および前記停止部が実行する処理とは無関係に、前記第１および第２の通信インタフェースの他方が、所定のレベルで同期信号を送信する、パワーコンディショナ。
【請求項２】
請求項１に記載のパワーコンディショナ、前記他の一のパワーコンディショナ、および前記さらに他の一のパワーコンディショナを少なくとも含む、分散システム。
【請求項３】
請求項２に記載の分散システムにおいて、
当該分散システムに含まれるパワーコンディショナのうちの１つが親機として機能し、この親機として機能するパワーコンディショナは、
前記同期信号を生成する同期信号生成部であって、重大な異常の発生が検出されると、この同期信号の生成を停止する同期信号生成部を有する、分散システム。
【発明の詳細な説明】
【技術分野】
【０００１】
本発明は、電力系統に連系可能なパワーコンディショナおよびこのパワーコンディショナを含む分散システムに関する。
【背景技術】
【０００２】
電力系統に連系可能なパワーコンディショナは、単独運転が検出された時には速やかに運転を停止することが求められる。このために、同期ラインを用いる分散システムがある（例えば、特許文献１）。この分散システムでは、図６に示すように、それぞれ太陽光モジュール１０３に接続された複数のパワーコンディショナ１０２は、電力線１１１に加えて、伝送線１１６によって接続される。このシステムでは、複数のパワーコンディショナ１０２のうちの１台が親機となり、同期信号を親機以外のパワーコンディショナ１０２（子機）に送信する。親機のパワーコンディショナ１０２が単独運転を検出すると同期信号の送信を停止するため、全てのパワーコンディショナ１０２が電力系統１１４への電力出力を停止できる。
【先行技術文献】
【特許文献】
【０００３】
【特許文献１】特許３０２８２０５号公報
【発明の概要】
【発明が解決しようとする課題】
【０００４】
しかし、上記特許文献１のシステムにおいて、各パワーコンディショナ１０２は１本の伝送線１１６に接続されている。そのため、この伝送線１１６に接続できるパワーコンディショナ１０２の数には限りがある。
【０００５】
そこで、本発明は、膨大な数のパワーコンディショナに対する同期信号の伝達を可能とする分散システム、およびそのパワーコンディショナを提供することを目的とする。
【課題を解決するための手段】
【０００６】
上記目的を達成するために、本発明の一構成にかかるパワーコンディショナは、直流電力を電力系統に連系可能な交流電力に変換して出力するパワーコンディショナであって、第１の伝送線を介して、前記交流電力の周波数に対応した周波数からなる同期信号を他の一のパワーコンディショナと送受信する第１の通信インタフェースと、第２の伝送線を介して、前記交流電力の周波数に対応した周波数からなる同期信号をさらに他の一のパワーコンディショナと送受信する第２の通信インタフェースと、前記第１および第２の通信インタフェースの一方が受信した同期信号を監視する同期信号監視部と、前記同期信号監視部が監視している同期信号がなくなると、前記交流電力の出力を停止させる停止部とを備え、前記第１および第２の通信インタフェースの一方が同期信号を受信すると、前記同期信号監視部および前記停止部が実行する処理とは無関係に、前記第１および第２の通信インタフェースの他方が、所定のレベルで同期信号を送信する。
【０００７】
この構成によれば、各パワーコンディショナを接続する伝送線がそれぞれ別個であるため、伝送線に接続されるパワーコンディショナの数が制限されても、これによって何ら影響を受けずに直列接続されるパワーコンディショナの数を増やすことができる。また、一方の通信インタフェースが信号を受信すると、同期信号監視部や停止部が実行する処理とは無関係に、他方の通信インタフェースが信号を送信するため、このパワーコンディショナにおいて信号の遅延はほとんど発生しない。さらに、他方の通信インタフェースは所定のレベルで同期信号を送信するため、伝送線によって減衰した同期信号が、所定のレベルにまで回復されて送信されることになる。そのため、直列接続されるパワーコンディショナの数が多くても全体として同期信号の減衰は生じない。
【０００８】
また、同期信号監視部が監視している同期信号がなくなると交流電力の出力を停止させるため、電力系統への電力出力を停止させなければならない事態に対して、同期信号の送受信の停止のみで速やかに対処できる。
【０００９】
ここで、「前記交流電力の周波数に対応した周波数からなる同期信号」は、一定の周波数を有する周期的な信号であり、好ましくは交流電力の周波数と同一の周波数を有する。
【００１０】
本発明の一構成にかかる分散システムは、前記パワーコンディショナ、前記他の一のパワーコンディショナ、および前記さらに他の一のパワーコンディショナを少なくとも含む。この構成によれば、パワーコンディショナの直列接続が構成され、別個の伝送線によって同期信号が順次伝達される。
【００１１】
好ましい実施形態においては、当該分散システムに含まれるパワーコンディショナのうちの１つが親機として機能し、この親機として機能するパワーコンディショナは、前記同期信号を生成する同期信号生成部であって、重大な異常の発生が検出されると、この同期信号の生成を停止する同期信号生成部を有する。これによれば、重大な異常の発生が検出されると親機のパワーコンディショナが同期信号の生成を停止し、当該分散システムにおいて直列に接続された各パワーコンディショナは同期信号を順次受信しなくなり、この伝達に並行して各パワーコンディショナにおける停止処理が実行されるため、直列に接続された全てのパワーコンディショナは速やかに電力系統への電力出力を停止できる。
【００１２】
ここで、「重大な異常の発生」には、単独運転および地絡過電圧が含まれる。これらの他にも、電力系統への電力出力を停止させなければならない事態は、「重大な異常の発生」に該当する。
【発明の効果】
【００１３】
本発明にかかる分散システムによれば、パワーコンディショナを接続する伝送線がそれぞれ別個であるため直列接続されるパワーコンディショナの数に制限がなく、各パワーコンディショナにおいて信号の遅延がほとんどなく、かつ、パワーコンディショナの直列接続の全体として同期信号の減衰が生じないため、膨大な数のパワーコンディショナに対する同期信号の伝達が可能である。
【図面の簡単な説明】
【００１４】
【図１】本発明の第１の実施形態にかかる分散システムの概略ブロック図である。
【図２】図１の分散システムにおいて親機として機能するパワーコンディショナの概略ブロック図である。
【図３】図１の分散システムにおいて子機として機能するパワーコンディショナの概略ブロック図である。
【図４】（ａ）は系統電圧信号を示す波形図であり、（ｂ）は同期信号を示す波形図であり、（ｃ）は信号がない場合を示す図である。
【図５】本発明の第２の実施形態にかかる分散システムの概略ブロック図である。
【図６】従来の分散システムの概略ブロック図である。
【発明を実施するための形態】
【００１５】
以下、本発明の第１の実施形態にかかる分散システムを図面に基づいて説明する。
図１に示す本実施形態にかかる分散システム１は、複数のパワーコンディショナ２を備える。各パワーコンディショナ２は、１つまたは複数の太陽電池モジュール３に接続されている。なお、簡略化のために、各パワーコンディショナ２には１つの太陽電池モジュール３のみが接続された構成を図示する。
【００１６】
分散システム１は複数のパワーコンディショナ群２０からなり、各パワーコンディショナ群２０は複数のパワーコンディショナ２を含む。パワーコンディショナ群２０に含まれるパワーコンディショナ２は電力線１１によって直列に接続されて、複数のパワーコンディショナ２の電力についての直列接続を構成する。これらパワーコンディショナ群２０は、並列に集電箱１２に接続される。そのため、集電箱１２は、全てのパワーコンディショナ群２０を構成する全てのパワーコンディショナ２が出力する交流電力を集電する。集電箱１２は、遮断器１３を介して電力系統１４に接続される。
【００１７】
分散システム１の全てのパワーコンディショナ２は、渡り配線の形態で通信接続されている。すなわち、ある一のパワーコンディショナ２は、他の一のパワーコンディショナ２に伝送線（通信ケーブル）１６iによって接続されるとともに、さらに他の一のパワーコンディショナ２に別個の伝送線１６i+1によって接続されている。なお、終端のパワーコンディショナ２1，２nは、１つのパワーコンディショナ２のみに伝送線１６1，１６n-1によって接続されている。
【００１８】
これら全てのパワーコンディショナ２のうち、１つのパワーコンディショナ２が親機として機能し、その他のパワーコンディショナ２が子機として機能する。いずれのパワーコンディショナ２が親機として機能するかは、いかなる基準によって定められてもよい。例えば、両終端のパワーコンディショナ２1，２nのうちの一方が親機として機能してもよい。本実施形態においては、一方の終端のパワーコンディショナ２1であって、一のパワーコンディショナ群２０のパワーコンディショナ２のうち、最も集電箱１２に近いパワーコンディショナ２1が親機として機能する。なお、いずれのパワーコンディショナ２が親機になるかは絶対的なものではなく分散システム１の稼働中に変更されてもよい。
【００１９】
これら伝送線１６によって、各パワーコンディショナ２が正常に動作している間、系統電圧の正弦波と同一の周期を有する方形波からなる同期信号が、親機として機能するパワーコンディショナ２1で生成されて伝達される。そのため、例えばパワーコンディショナ２iとパワーコンディショナ２i+1との間の伝送線１６iが断線すると、その伝送線１６iよりも親機のパワーコンディショナ２1に対して遠位のパワーコンディショナ２i+1〜２nは同期信号を受信しなくなる。同期信号を受信しなくなったパワーコンディショナ２i+1〜２nは、後述するように電力出力を停止する。
【００２０】
このように伝送線１６は同期信号を伝送するためのものであるため、各パワーコンディショナ２のログなどを取得してそれぞれの状態を監視する管理ユニット（図示せず）と各パワーコンディショナ２との間のデータ通信には、伝送線１６とは別個の通信ケーブルが用いられる。
【００２１】
図２に、親機として機能するパワーコンディショナ２1を示す。
パワーコンディショナ２1は、太陽電池モジュール３が出力する直流電力を昇圧するＤＣ／ＤＣコンバータ（図示せず）、およびこの昇圧された直流電力を交流電力に変換するインバータ２１を備える。これにより、パワーコンディショナ２は、交流電力を出力する。ただし、ＤＣ／ＤＣコンバータ（図示せず）は省略されてもよい。パワーコンディショナ２には、また、インバータ２１の出力を電力線１１に供給する部分に、電磁接触器のような開閉手段２２が設けられている。
【００２２】
親機として機能するパワーコンディショナ２1は、マイコンからなる親機制御手段２３Ａを有する。親機制御手段２３Ａは、異常判定部２３ａ、同期信号生成部２３ｂおよび停止部２３ｃを含む。
【００２３】
異常判定部２３ａは、重大な異常の発生を判定する。重大な異常としては、単独運転検出および地絡過電圧がある。単独運転は、例えば、制御手段２３Ａ内の単独運転検出手段（図示せず）によって検出される。単独運転の検出には既知のいかなる方法が用いられてもよい。地絡過電圧は、例えば、各パワーコンディショナ２とは別個に設けられた地絡過電圧検出装置（図示せず）によって検出される。地絡過電圧の検出には既知のいかなる方法が用いられてもよい。そして、単独運転や地絡過電圧が検出されると、異常判定部２３ａに単独運転や地絡過電圧が検出された旨が通知される。異常判定部２３ａがこの通知を受けて重大な異常が発生したと判定すると、同期信号生成部２３ｂと停止部２３ｃにその旨を通知する。
【００２４】
親機として機能するパワーコンディショナ２1は、また、通信インタフェース２４、およびこれらに接続された絶縁回路２５を備える。通信インタフェース２４は、本実施形態においてはＲＳ４８５プロトコルを実装したトランシーバからなる。トランシーバ２４は、１つの伝送線１６1に接続され、トランスミッタ２４ａおよびレシーバ２４ｂを含む。伝送線１６は例えばツイストペアケーブルまたは同軸ケーブルからなる。トランスミッタ２４ａは、伝送線１６に所定の大きさの電圧波形を送出する。レシーバ２４ｂは、伝送線１６から電圧波形を受信する。絶縁回路２５は、例えばフォトカプラからなり、接続されたトランシーバ２４をパワーコンディショナ２1内の他の構成要から電気的に絶縁する。なお、絶縁回路２５はトランシーバ２４に内蔵されてもよい。
【００２５】
同期信号生成部２３ｂは、異常判定部２３ａから重大な異常が発生したとの通知を受けない限りは、図４（ａ）に示す系統電圧の正弦波と同一の周期を有する図４（ｂ）の方形波を生成して、通信インタフェース２４に送出する。通信インタフェース２４のトランスミッタ２４ａは、受信した方形波の周期に対応した電圧波形を伝送線１６1に印加することで、伝送線１６1を介して隣接するパワーコンディショナ２2に同期信号を送信する。同期信号生成部２３ｂが、異常判定部２３ａから重大な異常が発生したとの通知を受けると、同期信号オフの指令を通信インタフェース２４に通知する。通信インタフェース２４のトランスミッタ２４ａは、この通知に応えて、図４（ｃ）に示すように、伝送線１６1に電圧波形を印加しない。すなわち、伝送線１６1を介して隣接するパワーコンディショナ２2に送信する同期信号を停止する。
【００２６】
停止部２３ｃは、異常判定部２３ａから重大な異常が発生したとの通知を受けると、インバータ２１を停止させるとともに、開閉手段２２を開成して、パワーコンディショナ２から電力線１１への電力出力を停止させる。
【００２７】
なお、本実施形態においてこの親機として機能する図１のパワーコンディショナ２1は、隣接するパワーコンディショナ２2が１つであり、このパワーコンディショナ２2に同期信号を送信するが、他のパワーコンディショナ２から同期信号を受信するものではない。そのため、通信インタフェース２４と絶縁回路２５からなる組は１組のみでもよいが、複数組が設けられてもよい。
【００２８】
図３に、子機として機能するパワーコンディショナ２iの１つを示す。なお、図２に示した親機として機能するパワーコンディショナ２1と同一の構成要素については、図３において同一の符号を付してその説明を省略する。
【００２９】
子機として機能するパワーコンディショナ２iは、第１および第２の通信インタフェース２４Ａ，２４Ｂ、ならびにこれらにそれぞれ接続された２つの絶縁回路２５，２５を備える。これら第１および第２の通信インタフェース２４Ａ，２４Ｂは、いずれも図２に示した通信インタフェース２４と同一の構成を有する。したがって、この子機として機能するパワーコンディショナ２iには、親機として機能するパワーコンディショナ２1に設けられた通信インタフェース２４と絶縁回路２５からなる組が２組設けられていることになる。
【００３０】
子機として機能するパワーコンディショナ２iは、マイコンからなる子機制御手段２３Ｂを有する。子機制御手段２３Ｂは、停止部２３ｃおよび同期信号監視部２３ｄを含む。同期信号監視部２３ｄは、第１の通信インタフェース２４Ａのレシーバ２４ｂが受ける伝送線１６i-1の電圧波形を、絶縁回路２５を介して受信して監視する。そして、周期的な方形波からなる同期信号を受信している場合は、外部で何ら異常が発生していないと判定するのに対して、第１の通信インタフェース２４Ａのレシーバ２４ｂが何も信号を受信しなくなると、当該パワーコンディショナ２iの外部において何らかの異常が発生したと判定する。
【００３１】
子機制御手段２３Ｂは、その内部に単独運転検出手段（図示せず）やその他内部における重大な異常を検出するための手段を設けてもよい。この場合、子機制御手段２３Ｂはメモリ（図示せず）上に正常フラグを構成し、この正常フラグの既定値はオンとし、パワーコンディショナ２i自体で重大な異常を検出した場合にオフに切り替える。
【００３２】
停止部２３ｃは、同期信号監視部２３ｄが、監視中の同期信号がなくなったことによって当該パワーコンディショナ２iの外部において何らかの異常が発生していると判定した場合、またはパワーコンディショナ２i自体で重大な異常を検出した場合に、インバータ２１を停止させるとともに、開閉手段２２を開成して、パワーコンディショナ２から電力線１１への電力出力を停止させる。
【００３３】
子機として機能するパワーコンディショナ２iは、また、第１および第２の通信インタフェース２４Ａ，２４Ｂ、ならびにこれらにそれぞれ接続された２つの絶縁回路２５，２５に加えて、ＡＮＤ論理ゲート２６を有する。
【００３４】
第１の通信インタフェース２４Ａのレシーバ２４ｂが伝送線１６i-1から受ける電圧波形は、子機制御手段２３Ｂに入力されるとともに、ＡＮＤ論理ゲート２６に入力される。ＡＮＤ論理ゲート２６には、また、子機制御手段２３Ｂから正常フラグの値が入力される。したがって、正常フラグがオン、つまり異常がこのパワーコンディショナ２iの内部または外部で検出されていない場合には、ＡＮＤ論理ゲート２６の出力に、第１の通信インタフェース２４Ａのレシーバ２４ｂが伝送線１６i-1から受けた電圧波形が表われる。
【００３５】
第２の通信インタフェース２４Ｂのトランスミッタ２４ａには、絶縁回路２５を介してこのＡＮＤ論理ゲート２６の出力が入力される。そして、トランスミッタ２４ａは、その入力に対応した電圧波形を伝送線１６iに印加する。この電圧波形の電圧値は、予め定められた大きさであり、全てのパワーコンディショナ２で同一の大きさである。このため、第１の通信インタフェース２４Ａのレシーバ２４ｂが系統電圧の正弦波と同一の周期を有する図４（ｂ）の方形波を受信し、かつ、当該パワーコンディショナ２自体で重大な異常を検出していなければ、第２の通信インタフェース２４Ｂのトランスミッタ２４ａは、系統電圧の正弦波と同一の周期を有して所定の電圧値からなる方形波を伝送線１６iに印加する。これに対して、第１の通信インタフェース２４Ａのレシーバ２４ｂが伝送線１６i-1から信号を受信しない場合には、第２の通信インタフェース２４Ｂのトランスミッタ２４ａは、伝送線１６iに対して信号を送信しない（図４（ｃ）に図示）。また、第１の通信インタフェース２４Ａのレシーバ２４ｂが系統電圧の正弦波と同一の周期を有する図４（ｂ）の方形波を受信しても、正常フラグがオフであれば、第２の通信インタフェース２４Ｂのトランスミッタ２４ａは、伝送線１６iに対して信号を送信しない（図４（ｃ）に図示）。
【００３６】
このように、子機として機能するパワーコンディショナ２iにおいて、第１の通信インタフェース２４Ａが伝送線１６i-1から信号を受信してから第２の通信インタフェース２４Ｂが伝送線１６iを介して信号を送信するまでには、絶縁回路２５、ＡＮＤ論理ゲート２６および絶縁回路２５を経由するだけであるため、伝送線１６i-1から受信した信号を制御手段２３Ｂで処理して伝送線１６iに送出する場合に比べて、このパワーコンディショナ２iにおける処理時間は極めて小さい。
【００３７】
なお、図２の親機として機能するパワーコンディショナ２1と図３の子機として機能するパワーコンディショナ２iは異なる構成として示したが、各パワーコンディショナ２は、両方の構成要素を含み、親機としても子機としても機能できるのが好ましい。
【００３８】
本分散システム１の動作について図１を参照して説明する。
異常が発生していない正常時には、親機として機能するパワーコンディショナ２1は、同期信号生成部２３ｂ（図２）が同期信号を生成し、伝送線１６1を介して同期信号を隣接するパワーコンディショナ２2に送出する。この同期信号を受信したパワーコンディショナ２2では、そのパワーコンディショナ２自体で重大な異常の発生を検出していなければ、同期信号を、親機として機能するパワーコンディショナ２1とは反対側の隣接するパワーコンディショナ２3に伝送線１６2を介して送信する。同様に、同期信号がパワーコンディショナ２の間で順次伝達されて、終端のパワーコンディショナ２nが同期信号を受信する。
【００３９】
なお、この終端のパワーコンディショナ２nでは、図３の第１の通信インタフェース２４Ａが同期信号を受信し、同期信号監視部２３ｄが外部で何らかの異常が発生していると判定する点は、他の子機として機能するパワーコンディショナ２2〜２n-1（図１）と同一である。しかし、他の子機として機能するパワーコンディショナ２2〜２n-1（図１）とは、第２の通信インタフェース２４Ｂから伝送線１６に同期信号を送出しない点で異なる。
【００４０】
パワーコンディショナ２間で伝達される同期信号は、伝送線１６上で減衰する。しかし、各パワーコンディショナ２の第２の通信インタフェース２４Ｂのトランスミッタ２４ａは、所定の電圧値を伝送線１６に印加するため、伝送線１６上で減衰した同期信号は、各パワーコンディショナ２で所定値に回復する。このように、渡り配線によって互いに接続されるパワーコンディショナ２の数は、同期信号の減衰の観点からは制限を受けない。
【００４１】
また、各パワーコンディショナ２では、伝送線１６から同期信号を受信してから伝送線１６に同期信号を送出するまでに所定の時間を要する。しかし、パワーコンディショナ２の第１の通信インタフェース２４Ａが伝送線１６から信号を受信してから第２の通信インタフェース２４Ｂから信号を送信するまでには、絶縁回路２５、ＡＮＤ論理ゲート２６および絶縁回路２５を経由するだけであるため、伝送線１６から受信した信号を制御手段２３Ｂで処理して伝送線１６に送出する場合に比べて、このパワーコンディショナ２iにおける処理時間は極めて小さい。このため、複数のパワーコンディショナ２が順次同期信号を処理することによって、分散システム１におけるパワーコンディショナ２の数だけ同期信号の伝達に時間を要するが、それでも分散システム１全体としても許容範囲内の伝搬時間である。例えば、分散システム１にパワーコンディショナ２がたとえ１０００台設置されていたとしても、各パワーコンディショナ２における処理時間が例えば３μ秒程度であれば、分散システム１の全体の伝搬時間は３秒である。
【００４２】
図１に戻って、親機として機能するパワーコンディショナ２1が単独運転または地絡過電圧のような重大な異常を検出すると、このパワーコンディショナ２1は、伝送線１６を介して隣接するパワーコンディショナ２2への同期信号の送信を停止する。同期信号を受信しなくなったパワーコンディショナ２2では、隣接するパワーコンディショナ２3への同期信号の送信を停止する。同様に、同期信号の停止がパワーコンディショナ２の間で順次伝達されて、終端のパワーコンディショナ２nが同期信号を受信しなくなる。なお、この終端のパワーコンディショナ２nでは、同期信号を受信しなくなることで、図３の子機制御手段２３Ｂの同期信号監視部２３ｄが外部で何らかの異常が発生していると判定し、判定部２３ｃがその出力を停止するが、第２の通信インタフェース２４Ｂに伝送線が接続されていないため、このパワーコンディショナ２nには停止すべき送信中の同期信号がない。
【００４３】
このように、図１の分散システム１において単独運転や地絡過電圧などの重大な異常が発生すると、系統連系された全てのパワーコンディショナ２からの電力出力が停止される。
【００４４】
上述のとおり各パワーコンディショナ２における処理時間が極めて小さいため、分散システム１全体としてもその同期信号の伝搬に要する時間は通常許容範囲である。例えば、各パワーコンディショナ２における処理時間が３μ秒程度であれば、分散システム１にパワーコンディショナ２が１０００台の場合に分散システム１の全体の伝搬時間は３秒であるため、パワーコンディショナ２の停止処理に０．１秒程度要するとすると、親機として機能するパワーコンディショナ２1が単独運転や地絡過電圧などを検出してから全てのパワーコンディショナ２が停止処理を完了するまでに４秒も要しない。
【００４５】
異常が解消されると、親機として機能するパワーコンディショナ２1の図２の同期信号生成手段２３ｂが再度同期信号を生成し、伝送線１６1を介して全てのパワーコンディショナ２に伝達する。同期信号を生成した親機のパワーコンディショナ２1および同期信号を受信した全てのパワーコンディショナ２は、開閉手段２２を閉成するとともにインバータ２１を起動させて、電力線１１に再度電力を出力させる。
【００４６】
次に、本発明の第２の実施形態にかかる分散システムについて図５を参照して説明する。ただし、この第２の実施形態が第１の実施形態と異なる点について説明し、同一の構成要素に関しては同一の符号を付して説明を省略する。
【００４７】
本実施形態の分散システム１Ａにおいても、第１の実施形態と同様に、複数のパワーコンディショナ群２０が並列に集電箱１２に接続される。渡り配線の形態の通信接続については、第１の実施形態のように全てのパワーコンディショナ２が直列に接続されるのではなく、パワーコンディショナ群２０ごとに渡り配線による直列接続が構成される。具体的には、本分散システム１Ａは、親機として機能するパワーコンディショナ２11を含む複数のパワーコンディショナ２11〜２1lからなる第１のパワーコンディショナ群２０ａ、複数のパワーコンディショナ２21〜２2mからなる第２のパワーコンディショナ群２０ｂ、および複数のパワーコンディショナ２31〜２3nからなる第３のパワーコンディショナ群２０ｃを備える。なお、本実施形態におけるパワーコンディショナ群２０の数は３であるが、いくつであってもよい。
【００４８】
本実施形態において、第２のパワーコンディショナ群２０ｂのうちの１つのパワーコンディショナ２21は、第１のパワーコンディショナ群２０ａと第３のパワーコンディショナ群２０ｃとの橋渡しの役割を果たす。すなわち、このパワーコンディショナ２21は、同一群に属する第２のパワーコンディショナ群２０ｂの隣接するパワーコンディショナ２22に伝送線１６によって接続されるとともに、第１のパワーコンディショナ群２０ａの親機であるパワーコンディショナ２11および第３のパワーコンディショナ群２０ｃのあるパワーコンディショナ２31にもそれぞれ伝送線１６によって接続される。この橋渡しとなるパワーコンディショナ２21には、通信インタフェース２４（図３）が３つ設けられ、第１の通信インタフェース２４Ａ（図３）によって親機であるパワーコンディショナ２11から受信した同期信号を、２つの第２の通信インタフェース２４Ｂ（図３）から、接続されたパワーコンディショナ２22，２31に送信する。
【００４９】
親機であるパワーコンディショナ２11は少なくとも１つの第２の通信インタフェース２４Ｂ（図３）を備え、２つの隣接したパワーコンディショナ２12，２21に同期信号を送信する。
【００５０】
このように、本実施形態によれば、電力線による接続に対応させて通信接続を構成しているため、直列に通信接続されるパワーコンディショナ２の数を少なくできる。したがって、子機として機能するパワーコンディショナ２がその内部で異常を検出した場合には、親機として機能するパワーコンディショナ２11に対して遠位側に直列に通信接続されたパワーコンディショナ２が同期信号を受信しなくなるが、そのパワーコンディショナ２の数は、全てのパワーコンディショナ２が直列に通信接続された場合に比べて少ない。そのため、停止の必要がないパワーコンディショナ２までもが停止することを防止できる。
【００５１】
以上、本発明にかかる分散システムによれば、パワーコンディショナを接続する伝送線がそれぞれ別個であるため直列接続されるパワーコンディショナの数に制限がなく、各パワーコンディショナにおいて信号の遅延がほとんどなく、かつ、パワーコンディショナの直列接続の全体として同期信号の減衰が生じないため、膨大な数のパワーコンディショナに対する同期信号の伝達が可能である。
【００５２】
なお、上記各実施形態において、伝送線は電気線として説明したが、電気線には限定されず、同期信号を伝送できるものであればいかなるものであってもよい。例えば、伝送線は光ファイバであってもよい。
【００５３】
また、通信インタフェースはＲＳ４８５プロトコルを実装するものとして説明したが、これには限定されず、いかなるプロトコルからなるものであってもよい。ただし、好ましくは、シリアル通信のプロトコルからなる。
【００５４】
さらに、重大な異常として単独運転と地絡過電圧を挙げたが、これらに限定されるわけではない。
また、上記実施形態では、図２の同期信号生成部２３ｂが生成する信号は、図４（ａ）および（ｂ）のように交流電力と同一の周波数を有するものとしたが、異なる周波数を有するものであってもよい。
【符号の説明】
【００５５】
２      パワーコンディショナ
１６    伝送線
２３ｃ  停止部
２３ｄ  同期信号監視部
２４    通信インタフェース
【図１】
2014230386.tif 000003
【図２】
2014230386.tif 000004
【図３】
2014230386.tif 000005
【図４】
2014230386.tif 000006
【図５】
2014230386.tif 000007
【図６】
2014230386.tif 000008